(57)【要約】【課題】  画像読取装置において、光電変換素子（ＣＣＤ）の位置調整を容易に行うことができるようにする。【解決手段】  まず、ＣＣＤ１２の結像レンズ体１１との相対的距離を変化させて複数の画像読取位置毎のＣＴＦ曲線を予め求めて、これらＣＴＦ曲線に応じて閾値レベル以上を満足するＣＴＦ値が全ての画像読取位置で得られる相対的距離の範囲を示すレンズランク分けデータを得る。そして、レンズランク分けデータに基づいてＣＣＤを結像レンズ体に対して相対的に移動させてＣＣＤの位置調整を行う。【選択図】  図１
2005269190.tif 000002
【特許請求の範囲】
【請求項１】
被読取対象体からの反射光を結像して、光学像として光電変換素子に与える結像レンズ体において、
前記光電変換素子との相対的距離を変化させて、予め規定された複数の画像読取位置毎のＣｏｎｔｒａｓｔ  Ｔｒａｎｓｆｅｒ  Ｆｕｎｃｔｉｏｎ（ＣＴＦ）曲線を求めて、該ＣＴＦ曲線に基づいて所定の閾値レベル以上を満足するＣＴＦ値が全ての画像読取位置で得られる前記相対的距離の範囲を示すレンズランク分けデータが表示されていることを特徴とする結像レンズ体。
【請求項２】
前記相対的距離の範囲は、前記画像読取位置のうちの２つに対応するＣＴＦ曲線と前記閾値レベルとの交点に基づいて決定されるようにしたことを特徴とする請求項１記載の結像レンズ体。
【請求項３】
被読取対象体からの反射光を受け該反射光を結像させて光学像とする結像レンズ体と、前記光学像を光電変換して画像データを得る光電変換部とを有する画像読取装置において、前記光電変換素子の位置を調整する調整方法であって、
前記光電変換素子と前記結像レンズ体との相対的距離を変化させて予め規定された複数の画像読取位置毎のＣＴＦ曲線を求める第１のステップと、
該ＣＴＦ曲線に応じて所定の閾値レベル以上を満足するＣＴＦ値が全ての画像読取位置で得られる前記相対的距離の範囲を示すレンズランク分けデータを得る第２のステップと、
前記レンズランク分けデータに基づいて前記光電変換素子を前記結像レンズ体に対して相対的に移動させて前記光電変換素子の位置調整を行う第３のステップとを有することを特徴とする光電変換素子の位置調整方法。
【請求項４】
前記相対的距離の範囲は、前記画像読取位置のうちの２つに対応するＣＴＦ曲線と前記閾値レベルとの交点に応じて決定されるようにしたことを特徴とする請求項３記載の光電変換素子の位置調整方法。
【請求項５】
前記レンズランク分けデータは前記結像レンズ体に表示されており、
前記第３のステップは、前記レンズ分けデータで規定された２箇所の画像読取位置について前記相対的距離を変化させつつ得られたＣＴＦ曲線のピーク位置を求める第４のステップと、該ピーク位置の中間位置に前記光電変換素子を位置付ける第５のステップとを有することを特徴とする請求項４記載の光電変換素子の位置調整方法。
【発明の詳細な説明】
【技術分野】
【０００１】
本発明は、原稿等の被読取対象物に光を照射して画像を読み取る画像読取装置に用いられる結像レンズ体及び結像レンズ体と光電変換素子との相対的位置を調整する方法に関するものである。
【背景技術】
【０００２】
一般に、画像形成装置においては、画像読取装置が用いられており、この画像読取装置には、被読取対象物である原稿からの反射光を結像レンズ体で光電変換素子（固体撮像素子：例えば、ＣＣＤ）に結像させて、ＣＣＤによって光学像を読み取って画像データを得ている。このような画像読取装置においては、被読取対象物と結像レンズ体との距離によって倍率が規定され、結像レンズ体とＣＣＤとの距離によってピントが規定される結果、結像レンズ、ＣＣＤ、及び被読取対象物の位置関係を変化させ、所望の要求精度となるように、倍率及びピントを調整する必要がある。
【０００３】
上述の倍率及びピントを調整する際には、専用のチャートを被読取対象物として用い、この専用チャートからの反射光を結像レンズ体によってＣＣＤ上に光学像として結像させ、ＣＣＤから得られた画像データに基づいて結像レンズ体及びＣＣＤの相対的位置を変化させつつ、所望の要求精度を有する倍率及びピントとなる位置に結像レンズ体及びＣＣＤを固定している。
【０００４】
ＣＣＤと結像レンズ体との相対的位置を調整する際においては、光軸方向におけるＭＴＦ（変調伝達関数：正弦波チャート像のコントラストの変化を空間周波数の関数として表したもの）を測定して、この測定データに基づいて結像レンズ体とＣＣＤとの相対的位置を求めており、例えば、測定ＭＴＦ値と予め設定されているＭＴＦ設定値とを比較して、その比較結果に応じてＣＣＤの移動方向を決定して、全ての画像読取位置における測定ＭＴＦ値について、測定ＭＴＦ値が所定の閾値以上であると、その位置にＣＣＤを固定するようにしたものがある（特許文献１参照）。
【０００５】
【特許文献１】特許第３３５６３６６号公報（第４頁〜第７頁、第１図〜第１０図）
【発明の開示】
【発明が解決しようとする課題】
【０００６】
ところで、結像レンズ体は設計及びその製造誤差によって不可避的にその性能が個々の結像レンズ体毎に異なり、従来の位置調整方法のように、測定ＭＴＦ値とＭＴＦ設定値との比較結果に応じてＣＣＤの移動方向を決定し、測定ＭＴＦ値が所定の閾値であると、その位置にＣＣＤを固定するようにすると、つまり、ＣＣＤを移動させつつ、ＭＴＦ値を測定して、全ての画像読取位置における測定ＭＴＦ値が所定の閾値を超える位置にＣＣＤを固定しようとすると、画像読取装置に結像レンズ体及びＣＣＤを組み込む際において、その位置調整に時間が掛かってしまうことになる。
【０００７】
そして、前述の結像レンズ体毎にその性能に微妙な相違があるとなると、各結像レンズ体毎にその都度位置調整を行わなければならず、結像レンズ体とＣＣＤとの相対的位置調整が極めて面倒となってしまう。
【０００８】
特に、カラー画像読取に用いられるＣＣＤでは、赤（Ｒ）、緑（Ｇ）、及び青（Ｂ）にそれぞれ分光感度のピークを有する３つのラインセンサを備えて、画像読取を行う関係上、各ラインセンサ毎に上述のような相対的位置調整を行うとなると調整に要する時間がさらに大きくなってしまう。
【０００９】
従って、本発明はかかる従来技術の問題に鑑み、光電変換素子の位置調整が極めて容易な結像レンズ体を提供することを目的とする。
【００１０】
本発明の他の目的は、この結像レンズ体を用いて光電変換素子の位置調整を容易に行うことのできる光電変換素子の位置調整方法を提供することにある。
【課題を解決するための手段】
【００１１】
そこで、本発明はかかる課題を解決するために、被読取対象体からの反射光を結像して、光学像として光電変換素子に与える結像レンズ体において、前記光電変換素子との相対的距離を変化させて予め規定された複数の画像読取位置毎のＣｏｎｔｒａｓｔ  Ｔｒａｎｓｆｅｒ  Ｆｕｎｃｔｉｏｎ（以下「ＣＴＦ」）曲線を求めて、該ＣＴＦ曲線に基づいて所定の閾値レベル以上を満足するＣＴＦ値が全ての画像読取位置で得られる前記相対的距離の範囲を示すレンズランク分けデータが表示されていることを特徴とするものである。
【００１２】
本発明では、例えば、前記相対的距離の範囲は前記画像読取位置のうちの２つに対応するＣＴＦ曲線と前記閾値レベルとの交点に基づいて決定される。
【００１３】
さらに、本発明によれば、被読取対象体からの反射光を受け該反射光を結像させて光学像とする結像レンズ体と、前記光学像を光電変換して画像データを得る光電変換部とを有する画像読取装置において、前記光電変換素子の位置を調整する調整方法であって、前記光電変換素子と前記結像レンズ体との相対的距離を変化させて予め規定された複数の画像読取位置毎のＣＴＦ曲線を求める第１のステップと、該ＣＴＦ曲線に応じて所定の閾値レベル以上を満足するＣＴＦ値が全ての画像読取位置で得られる前記相対的距離の範囲を示すレンズランク分けデータを得る第２のステップと、前記レンズランク分けデータに基づいて前記光電変換素子を前記結像レンズ体に対して相対的に移動させて前記光電変換素子の位置調整を行う第３のステップとを有することを特徴とする光電変換素子の位置調整方法が得られる。
【００１４】
例えば、前記相対的距離の範囲は前記画像読取位置のうちの２つに対応するＣＴＦ曲線と前記閾値レベルとの交点に応じて決定され、前記レンズランク分けデータは前記結像レンズ体に表示され、前記第３のステップは、前記レンズ分けデータで規定された２箇所の画像読取位置について前記相対的距離を変化させつつ得られたＣＴＦ曲線のピーク位置を求める第４のステップと、該ピーク位置の中間位置に前記光電変換素子を位置付ける第５のステップとを有する。
【発明の効果】
【００１５】
以上のように、本発明の結像レンズ体は、光電変換素子との相対的距離を変化させて、複数の画像読取位置毎のＣＴＦ曲線を求め、ＣＴＦ曲線に基づいて閾値レベル以上を満足するＣＴＦ値が全ての画像読取位置で得られる相対的距離の範囲を示すレンズランク分けデータが表示されているので、画像読取装置の組み立てに当って、結像レンズ体と光電変換素子との相対的位置を調整する際、レンズに表示されたデータを利用することができる。つまり、光電変換素子の位置を調整する際において、光電変換素子の位置調整を極めて容易に行うことができるという効果がある。
【００１６】
本発明では、光電変換素子と結像レンズ体との相対的距離を変化させて複数の画像読取位置毎のＣＴＦ曲線を予め求めて、ＣＴＦ曲線に応じて閾値レベル以上を満足するＣＴＦ値が全ての画像読取位置で得られる相対的距離の範囲を示すレンズランク分けデータを得て、レンズランク分けデータに基づいて光電変換素子を結像レンズ体に対して相対的に移動させて光電変換素子の位置調整を行うようにしている。つまり、レンズの単体検査は光電変換素子を一方向に動かして実施しており位置の調整を実施しているのではないため、複数の画像読取位置でＣＴＦを測定しても従来に比べて極めて時間短縮でき、短時間に光電変換素子の位置調整を容易に行うことができるという効果がある。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
画像読取装置は、複写機等の画像形成装置で用いられ、原稿上の画像を読み取る際には、原稿載置台（コンタクトガラス）上に原稿を、その画像面が下向きになるようにして載置して、光源を走査（副走査方向）しつつ、ランプから光を放射する。画像面で反射した光は、ミラー系を介して結像レンズ体に入射し、結像レンズ体によって光学像を光電変換素子（例えば、ＣＣＤ）上に結像する。そして、ＣＣＤによって光学像に応じた画像データを得る。
【００１９】
ＣＣＤから出力された画像データは、画像処理部でデジタルデータに変換された後、例えば、レーザスキャナユニット（ＬＳＵ）に送られ、画像データに応じたレーザ光がＬＳＵから出力されて、レーザ光によって感光体ドラム等の像担持体を露光し、静電潜像を形成する。そして、この静電潜像を現像装置によって現像して、像担持体上にトナー像を形成し、トナー像を記録用紙に転写する。その後、記録用紙は定着ユニットに送られて、記録用紙上のトナー像が定着されて、排紙される。
【００２０】
図１を参照すると、図１は結像レンズ体及びＣＣＤが搭載されたユニット（以下レンズＣＣＤユニットと呼ぶ）であり、前述したように、結像レンズ体１１は光学像をＣＣＤ１２上に結像する。そして、レンズＣＣＤユニットの組み立てに当っては、ＣＣＤ１２は結像レンズ体１１からの光がＣＣＤ受光面の中心軸に入射されるように位置決めする必要がある。
【００２１】
図１に示すように、ＣＣＤ１２はＣＣＤ支持部材１３に取り付けられており、ＣＣＤ支持部材１３はＣＣＤ取付板部１３ａとこのＣＣＤ取付板部１３ａの一端（図中下端）からＣＣＤ取付板部１３ａに対して直交する方向に延びるフランジ部１３ｂとを有しており、断面略Ｌ字形状に成形されている。ＣＣＤ取付板部１３ａには方形状の穴部（図示せず）が形成されており、この穴部に、受光面を結像レンズ体１１側に向けてＣＣＤ１２が挿入され、ＣＣＤ取付板部１３ａの裏面にＣＣＤ基板（図示せず）が当接して、固定用ビス１３ｃによってＣＣＤ基板がＣＣＤ取付板部１３ａに固定されている。
【００２２】
また、フランジ部１３ｂには、フランジ部１３ｂの突出方向に延在する一対の長穴部（図示せず）が形成されており、長穴部の範囲でＣＣＤ支持部材１３の位置が実線矢印で示す方向（水平方向：光軸方向）に調節される。
【００２３】
一方、結像レンズ体１１は、レンズ支持部材１４に取り付けられる。レンズ支持部材１４の周端には、受光側（光入力側）を除いて、起立部１４ａが形成され、光出力側において起立部１４ａはその高さが高い仕切り部１４ｂとなっている。仕切り部１４ｂには開口部（図示せず）が形成され、この開口部に結像レンズ体１１の出力側端が臨んでいる。
【００２４】
レンズ支持部材１４の底面には、仕切り部１４ｂと対向する位置において、結像レンズ体１１の光軸と直交する方向（幅方向）に延びるスリット状の切り欠き部（図示せず）が形成され、この切り欠き部に結像レンズ体１１の一端部が挿入され、仕切り部１４ｂと切り欠き部との間に結像レンズ体１１が固定される。
【００２５】
また、レンズ支持部材１４の底面には、結像レンズ体１１の光軸方向に延びる一対の長穴部１４ｃが形成されており、長穴部１４ｃの範囲でレンズ支持部材１４の位置が破線矢印で示す方向（水平方向：光軸方向）に調節される。そして、レンズ支持部材１４はＩＳＵベース板１５上に配設される。ＩＳＵベース板１５上には、調整板部材１６が配設され、この調整板部材１６上はＣＣＤ支持部材１３が取り付けられる。なお、調整板部材１６は、ビス止め等によってＩＳＵベース板１５に取り付けられている。
【００２６】
上述のレンズＣＣＤユニットを組立てる際には、例えば、ＣＣＤ１２をＣＣＤ支持部材１３に取り付け、結像レンズ体１１をレンズ支持部材１４に取り付ける。その後、ＩＳＵベース板１５にレンズ支持部材１４を配置するとともにＣＣＤ支持部材１３を調整板部材１６に配置する。
【００２７】
この際には、前述したようにして、ＣＣＤ支持部材１３及びレンズ支持部材１４の位置を調整することになる。つまり、ＣＣＤ支持部材１３（つまり、ＣＣＤ１２）とレンズ支持部材１４（つまり、結像レンズ体１１）との距離でピントが規定され、結像レンズ体１１から原稿面までの距離によって倍率が規定されることになる。
【００２８】
前述したように、結像レンズ体１１は結像レンズ体毎にその性能に微妙な相違がある関係上、レンズＣＣＤユニットを組立てる都度、レンズ性能に応じて位置調整を行わなければならず、結像レンズ体とＣＣＤとの相対的位置調整が極めて面倒となってしまうことになる。そこで、ここでは、予め各結像レンズ体毎にそのレンズ性能を計測して、結像レンズ体にその性能をラベル等で示しておくことにした。ここでは、結像レンズ体の性能を示すためＣＴＦ値を用いた。
【００２９】
図２を参照して、ここでは、ピント調整のため、予め結像レンズ体毎にＣＴＦ値を計測した。ＣＴＦ値を測定する際には、図２に示すレンズ検査治具が用いられ、図示のレンズ検査治具は、基台２１を有し、この基台２１上に、図中左右に延びる案内バー２１ａが配設され、基台２１上には案内バー２１ａに沿って移動可能にチャート支持部２２、レンズ支持部２３、及びＣＣＤ支持部２４が配置されている。
【００３０】
なお、チャート支持部２２、レンズ支持部２３、及びＣＣＤ支持部２４の各々には駆動源であるモータ２２ａ、２３ａ、及び２４ａが備えられ、これらモータ２２ａ〜２４ａによってそれぞれチャート支持部２２、レンズ支持部２３、及びＣＣＤ支持部２４が案内バー２１ａに沿って駆動される。
【００３１】
ここでは、チャート支持部２２は移動させず、固定した状態とし、レンズ支持部２３、及びＣＣＤ支持部２４を相対的に移動させた。ＣＣＤ支持部２４にはＣＣＤ１２が支持されており、レンズ支持部２３には測定対象である結像レンズ体１１が支持される。そして、チャート支持部２２にＣＴＦ測定専用のチャート（例えば、黒線間距離が０．１ｍｍ均等間隔で並べられた黒線郡の画像）が配置され、このチャートに光を照射して、その反射光を結像レンズ体１１に導き、結像レンズ体１１からの光学像をＣＣＤ１２に結像させた。
【００３２】
図３を参照して、チャート支持部２２はコンタクトガラス３１を有しており、例えば、図示のように、前面側が画像形成装置（機械）フロント側、後面側が機械リア側に対応しており、図３に実線矢印で示す方向が主走査方向、破線矢印で示す方向が副走査方向（スキャン方向）として規定され、主走査方向の中央部がセンターＣとされる。このセンターＣから機械リア側にそれぞれ七割、八割、及び九割寄った位置をそれぞれ符号Ｃ１〜Ｃ３で示し、センターＣから機械フロント側に七割、八割、九割寄った位置をそれぞれ符号Ｃ４〜Ｃ６で示し、これらセンターＣ及び位置Ｃ１〜Ｃ６を画像読取位置としてＣＴＦ値を計測した。
【００３３】
ＣＴＦ値の計測に当っては、上記の画像読取位置にそれぞれＣＴＦ測定用線形図（上記のＣＴＦ測定専用のチャートと同様）が配置され、主走査方向及び副走査方向の各々においてＣＴＦ値を測定した。この際には、レンズ支持部２３及びＣＣＤ支持部２４を相対的に移動させつつ、ＣＦＴ値を計測した。ＣＴＦ値の計測は公知の方法が適用可能であり限定されないが、例えば、黒線濃度をＤｍａｘ、黒線間におけるの白地部の濃度をＤｍｉｎとすると、ＣＴＦ値は式（１）で示される。
式（１）
ＣＴＦ（％）＝［Ｄｍａｘ−Ｄｍｉｎ］／［Ｄｍａｘ＋Ｄｍｉｎ］×１００
なお、図２において、符号Ｐで示す位置がＣＣＤステージ（ＣＣＤが配置されるステージ）２４ｂの初期位置である。図４は１つの結像レンズ体のＣＴＦ値を計測した際の変化を示す図であり、縦軸がＣＴＦ（％）、横軸が結像レンズ体の出射面を基準面とした際の、この基準面からＣＣＤ受光面までの距離を表している。
【００３４】
図４において、曲線Ｌ１は、画像読取位置Ｃ６における主走査方向のＣＴＦ値を表しており、曲線Ｌ２は画像読取位置Ｃ５における副走査方向のＣＴＦ値を表している。以下同様にして、曲線Ｌ３は画像読取位置Ｃ４における主走査方向のＣＴＦ値を表し、曲線Ｌ４及びＬ５はそれぞれ画像読取位置（センター）Ｃにおける主走査方向及び副走査方向のＣＴＦ値を表し、曲線Ｌ６〜Ｌ８はそれぞれ画像読取位置Ｃ１〜Ｃ３における主走査方向のＣＴＦ値、副走査方向のＣＴＦ値、及び主走査方向のＣＴＦ値を表している。
【００３５】
結像レンズ体はその収差に起因して、図４に示すように，画像読取位置において曲線Ｌ１〜Ｌ８（ＣＴＦ曲線）のピーク位置が異なり、さらに、同一の画像読取位置であっても、主走査方向（縦線）及び副走査方向（横線）で、そのＣＴＦ曲線のピーク位置が異なる。結像レンズ体を設計する際、全ての画像読取位置で同一のピーク位置となるように設計することは非常に困難であり、さらに、結像レンズ体の製造誤差に起因して、各ピーク位置は変化してしまう。このため、結像レンズ体毎にその性能が異なることになる。
【００３６】
加えて、画像読取装置で用いられる結像レンズ体は、ほとんど回転対称型であるが、結像レンズ体の製造誤差に起因して、偏芯が生じ、光軸（画像読取位置中心）を境として、左右の端部でＣＴＦ曲線のピーク位置が異なることがある。このため、前述のように、複数の画像読取位置について、主走査方向及び副走査方向において、ＣＣＤを光軸方向に相対的に移動させつつ、ＣＴＦ値を測定して、全ての画像読取位置において、所定の閾値レベル以上のＣＴＦ値が得られる位置にＣＣＤを位置付ける必要がある。
【００３７】
いま、閾値レベルをＣＴＦ値２５％とすると（直線Ｌ９で示す）、基準面からの距離が全ての曲線Ｌ１〜Ｌ８において閾値レベルを満足する範囲は、曲線Ｌ５と直線Ｌ９との交点の一つであるＤ１と曲線Ｌ１と直線Ｌ９との交点の一つであるＤ２との範囲であることが分かる。つまり、基準面との距離を、画像読取位置のうちの２つに対応するＣＴＦ曲線と閾値レベルとの交点（Ｄ１とＤ２）との間とすれば、閾値レベル以上を満足するＣＴＦ値が全ての画像読取位置で得られることが分かる。
【００３８】
図５は、別の結像レンズ体（設計値は図４で説明した結像レンズ体と同一であるが、製造誤差等により性能が異なる）のＣＴＦ値の測定結果を示す図であり、図４と図５とではそのＣＴＦ値が異なることが分かる。図５に示す結像レンズ体においても、図４で説明したようにして、閾値レベル以上を満足するＣＴＦ値が全ての画像読取位置で得られる基準面との距離を求めればよい。図５に示す例では、曲線Ｌ５と直線Ｌ９との交点の一つであるＤ３と曲線Ｌ２と直線Ｌ９との交点の一つであるＤ４との範囲に基準面との距離を設定すればよいことになる。
【００３９】
以下の説明では、閾値レベルを満足する基準面とＣＣＤとの距離範囲を適正距離範囲と呼ぶことにする。そして、このようにして、適正距離範囲を各結像レンズ体毎に得て、この適正距離範囲に基づいて各結像レンズ体のランク分けを行う。
【００４０】
各結像レンズ体のランク分けを行う際には、図６に示すランク分け処理システムが用いられる。図示の処理システムは処理装置４１を備えており、処理装置４１では、図２に示すレンズ検査治具４２から得られたＣＴＦ曲線（図４又は図５に示す曲線）と閾値レベルとを比較して、適正距離範囲を求めることになる。図７はレンズランク分けの一例を示す図であり、前述のように、全ての画像読取位置で閾値レベルを満足する適正距離範囲は２交点で決まるから、図７に示すように、ＣＣＤが結像レンズ体に近づく方向で閾値レベルを決める測定位置（Ｐｃ）とＣＣＤが結像レンズから遠ざかる方向で閾値レベルを決定する測定位置（Ｐｒ）とに応じてランク分けを行う。
【００４１】
図７に示す例では、Ｐｃとして、画像読取位置Ｃ６の主走査（ａ）、画像読取位置Ｃ３の主走査（ｂ）、画像読取位置（センター）Ｃの副走査（ｃ）、画像読取位置Ｃの主走査（ｄ）が規定され、主走査（ａ）に対して画像読取位置Ｃ５の副走査（ｅ）及び画像読取位置Ｃ２の副走査（ｆ）が対応付けられ、主走査（ｂ）に対して副走査（ｅ）及び（ｆ）が対応付けられている。さらに、副走査（ｃ）に対して、主走査（ａ）及び（ｂ）と副走査（ｅ）及び（ｆ）が対応付けられ、主走査（ｄ）に対して主走査（ａ）及び（ｂ）と副走査（ｅ）及び（ｆ）が対応付けられる。そして、図８に示すように、ランク分けデータは各測定位置の組み合わせとして、ａｅ，ａｆ，ｂｅ，ｂｆ，ｃａ，ｃｂ，ｃｅ，ｃｆ，ｄａ，ｄｂ，ｄｅ，ｄｆに分けられる。なお、ランク分け不可能な結像レンズ体が存在することを考慮して、ランク分けデータにはランク分け不可（×）が備えられている。
【００４２】
上述のようにして、結像レンズ体についてランク分けデータを求めた後、当該結像レンズ体はレンズ支持部２３から取り外される。そして、処理装置４１は当該結像レンズ体のランク分けデータをプリンター等の出力装置４３に出力する。出力装置４３ではランク分けデータが印字されたラベルを出力し、このラベルが結像レンズ体に貼付される。つまり、結像レンズ体にはランク分けデータが表示されることになる。その後、結像レンズ体はレンズＣＣＤユニット組み立て工程に搬送される。
【００４３】
図６及び図８を参照して、レンズＣＣＤユニット組み立て工程における結像レンズ体・ＣＣＤの位置調整について説明する。なお、ここでは、自動位置調整装置等によって自動的に位置調整を行うものとする。まず、結像レンズ体・ＣＣＤ位置調整が開始されると（結像レンズ・固体撮像素子調整：ステップＳ１）、自動位置調整装置４４に当該結像レンズ体に表示されたレンズランク分けデータが入力される（ステップＳ２）。
【００４４】
上述のランク分けデータを入力した後、結像レンズ体及びＣＣＤが初期位置に位置付けられて（ステップＳ３）、自動位置調整装置４４では、ピント粗調整のためＣＣＤを光軸方向に移動する（ステップＳ４）。そして、自動位置調整装置４４は画像読取位置においてその左右端部おけるＣＴＦ値を第１及び第２のＣＴＦ値として求める（ステップＳ５）。続いて、画像読取位置毎に第１及び第２のＣＴＦ値を比較して、偏差が存在するか否かを判定して（ステップＳ６）、偏差がないと、ＣＣＤを傾けて（ステップＳ７）、再度ステップＳ５を行う。
【００４５】
一方、ステップＳ６において、偏差があると、自動位置調整装置４４では倍率が予め規定された規格値を満足するか否かを判定し（ステップＳ８）、倍率が規格値を満足しないと、レンズ支持部２３を光軸方向に沿って移動し（ステップＳ９）、さらに、ＣＣＤを光軸方向に移動させる（ステップＳ１０）。つまり、結像レンズ体及びＣＣＤを相対的に移動させることになる。そして、自動位置調整装置４４は再度ステップＳ８を実行する。
【００４６】
ステップＳ８において、倍率が規格値を満たすと、自動位置調整装置４４は入力ランク分けデータがランク外であるか否かを判定する（ステップＳ１１）。ランク外でないと判定すると、自動位置調整装置４４はＣＣＤを所定のピッチで光軸方向に移動させつつ、ランク分けデータで設定された２箇所の画像読取位置におけるＣＴＦ値を順次測定し（ステップＳ１２）、これらＣＴＦ値に基づいてＣＴＦ曲線を求め、これらＣＴＦ曲線のピーク位置の中間位置を求める（ステップＳ１３）。
【００４７】
そして、自動位置調整装置４４はこの中間位置にＣＣＤを移動して（ステップＳ１４）、倍率及びピントが規定値を満たすか否かを判定し（ステップＳ１５）、倍率及びピントが規定値を満たすと、処理を終了し、次の結像レンズ体の組み込みを行う。一方、ステップＳ１５において、倍率及びピントが規定値を満たさないと、ステップＳ８に戻って処理を行う。
【００４８】
ステップＳ１１において、入力ランク分けデータがランク外であると判定されると、自動位置調整装置４４では、ＣＣＤを所定のピッチで光軸方向に移動させつつ、全ての画像読取位置におけるＣＴＦ値を順次測定し（ステップＳ１６）、これらＣＴＦ値に基づいて閾値レベルを決定するためのＣＴＦ曲線を求めて、これらＣＴＦ曲線のピーク位置の中間位置を求める（ステップＳ１７）。そして、自動位置調整装置４４はこの中間位置にＣＣＤを移動した後（ステップＳ１８）、ステップＳ１５を行う。
【００４９】
このようにして、予め各結像レンズ体についてランク分けを行って、そのランク分けデータを結像レンズ体に表示するようにしたので、レンズＣＣＤユニットの組み立ての際、ランク分けデータで示された２箇所の画像読取位置におけるＣＴＦ曲線のみを得て、ＣＣＤの位置を調整するようにすればよいから、ＣＣＤの位置調整を極めて簡単にできることになる。
【産業上の利用可能性】
【００５０】
光電変換素子と結像レンズ体との相対的距離を変化させて複数の画像読取位置毎のＣＴＦ曲線を予め求め、ＣＴＦ曲線に応じて閾値レベル以上を満足するＣＴＦ値が全ての画像読取位置で得られる相対的距離の範囲を示すレンズランク分けデータを得、レンズランク分けデータに基づいて光電変換素子を結像レンズ体に対して相対的に移動させて光電変換素子の位置調整を行うようにしたから、短時間に光電変換素子の位置調整を容易に行うことができる結果、複写機等の画像形成装置における光電変換素子の位置調整に適用できる。
【図面の簡単な説明】
【００５１】
【図１】本発明による光電変換素子の位置調整が行われるレンズＣＣＤユニットを概略的に示す斜視図である。
【図２】レンズ検査治具の一例を側面から概略的に示す図である。
【図３】図２に示すチャート支持部の画像読取面を概略的に示す斜視図である。
【図４】図２に示すレンズ検査治具を用いてレンズ基準面と光電変換素子（ＣＣＤ）受光面との距離とＣＴＦ値の変化の一例を複数の画像読取位置に応じて示す図である。
【図５】図２に示すレンズ検査治具を用いてレンズ基準面と光電変換素子（ＣＣＤ）受光面との距離とＣＴＦ値の変化の他の例を複数の画像読取位置に応じて示す図である。
【図６】図４又は図５に示すＣＴＦ曲線からレンズランク分けデータを求める処理システムを概略的に示すブロック図である。
【図７】レンズランク分けデータの一例を示す図である。
【図８】本発明による光電変換素子の位置調整を説明するためのフローチャートである。
【符号の説明】
【００５２】
１１  結像レンズ体
１２  光電変換素子（ＣＣＤ）
１３  ＣＣＤ支持部材
１４  レンズ支持部材
１５  ＩＳＵベース板
２１  基台
２２  チャート支持部
２３  レンズ支持部
２４  ＣＣＤ支持部
４１  処理装置
４２  レンズ検査治具
４３  出力装置
４４  自動位置調整装置
【図１】
2005269190.tif 000003
【図２】
2005269190.tif 000004
【図３】
2005269190.tif 000005
【図４】
2005269190.tif 000006
【図５】
2005269190.tif 000007
【図６】
2005269190.tif 000008
【図７】
2005269190.tif 000009
【図８】
2005269190.tif 000010